(57)【要約】【課題】  Ｅメールの記憶先としてＨＤＤを使用すると、受信完了するまで印刷処理を開始しないため、許容量を超えたデータサイズを受信した場合は印刷が出来ない。記憶先としてＲＡＭを使用して、Ｅメールの受信と印刷を交互に繰り返すことで少ないメモリで印刷を行うと、受信と印刷を交互に繰り返す間はＰＤＬデータの印刷が出来ない。【解決手段】  通常は不揮発性メモリを利用した受信と印刷を行うが、不揮発性メモリの許容量を超えた場合は受信途中のＥメールを破棄してＥメールの送信元へエラーを返す。  送信元が繰り返しデータ再送してくることを利用して、再送されたＥメールを揮発性メモリへ受信する方式に自動的に切り替える。  この切替えにより、通常は不揮発性メモリを利用するため、ＰＤＬデータとの並列印刷が可能でありながら、受信許容量を超えた場合は揮発性メモリへ格納先を切替えることで受信サイズの容量制限を無くすことが可能となる。【選択図】  図６
2011103571.tif 000002
【特許請求の範囲】
【請求項１】
コピー・スキャナー・ファックス・プリンタ複合機、もしくは、プリンタ単体機における印刷システムにおいて、
メール本文及び添付画像ファイルを有する電子メールを受信する受信手段と、前記メール本文及び添付画像ファイルの印刷を実行する印刷手段と、
前記印刷手段は、不揮発性メモリと揮発性メモリを備え、受信した電子メールを一時的に保存してから印刷を実行する保存手段と、
前記保存手段は、不揮発性メモリへ電子メールを保存できなくなった場合に受信中の電子メールを破棄し、再送された電子メールを揮発性メモリへの保存へ自動的に切り替える手段と、
前記電子メールの保存中は次の電子メールを不揮発性メモリへ保存するように切り替える手段を有することを特徴とする印刷システム。
【請求項２】
前記請求項１の不揮発性メモリと揮発性メモリへの電子メール保存は並列処理することを特徴とする印刷システム。
【請求項３】
前記請求項２の電子メールの並列処理において、受信順番と印刷順番が入れ替わらないように印刷順番を制御することを特徴とする印刷システム。
【発明の詳細な説明】
【技術分野】
【０００１】
本発明は、外部から受信した電子メール（以下Ｅメールと略称）のメール本文と添付画像ファイルの印刷が可能な印刷装置を備えた印刷システムに関する。
【背景技術】
【０００２】
従来、インターネットを介したファクシミリ通信が可能なファクシミリ装置として、Ｅメールを用いたインターネットファクシミリ（以下、インターネットＦＡＸと略称）装置が存在する。
【０００３】
インターネットＦＡＸとは、TTC（社団法人 電信電話技術委員会）標準JT-T37（「蓄積交換型のインターネットファクシミリデータ伝送手順」に関しての標準）のインターネットＦＡＸシンプルモードを示す。
【０００４】
インターネットＦＡＸは、インターネットやイントラネットを利用したファクシミリの送受信が可能であり、電話回線を利用したファクシミリに比べ通信費の削減を実現し、ファクシミリと同等の簡単な操作で紙文書を電子化して、電子メールに添付してパソコンへ送信する規格である。
【０００５】
インターネットＦＡＸのシンプルモードと呼ばれる規格では、インターネットＦＡＸから、印刷用紙サイズがＡ４、印刷解像度が２００ＤＰＩ（Dot Per Inch）の画像データをプリンタに送信し、プリンタで画像データを受信することで画像を印刷出力することが可能である。
【０００６】
更に、ファクシミリ専用装置以外の装置でも、例えば、インターネット経由によるＥメールの受信機能を備えたプリンタであれば、Ｅメールのメール本文と添付画像ファイルを印刷出力することが可能である。
【０００７】
Ｅメールの受信機能において、Ｅメールデータの記憶先としてＨＤＤ（Hard Disk Drive）のような不揮発性メモリが装着されている場合は、ＨＤＤへＥメールを受信完了してから印刷処理を開始する方法がある。
【０００８】
この利点としては、Ｅメールを受信完了するまでの間は印刷処理を開始しないため、並列受信したＰＤＬ（Page Description Language）データを優先的に印刷することが出来ることである。
【０００９】
しなしながら、ＨＤＤのような不揮発性メモリは一般的に大容量ではあるがその容量は有限であるため、許容量を超えたデータサイズを受信した場合は印刷が出来ないという問題がある。
【００１０】
一方、ＨＤＤのような不揮発性メモリが非装着な場合は、ＲＡＭ（Random Access Memory）のような揮発性メモリへ電子メールを受信して印刷を開始する方法がある。
【００１１】
ＨＤＤと比較してＲＡＭはメモリ容量が少なく、Ｅメールを受信完了してから印刷処理を開始することが出来ないため、Ｅメールを少量受信しては印刷処理を行い、受信と印刷を交互に繰り返すことで少ないメモリで印刷を行うことを可能としている。
【００１２】
しなしながら、Ｅメールの受信と印刷を交互に繰り返す間は、ＰＤＬデータの印刷が出来ないという問題がある。
【００１３】
その一方、データ受信時に現回線と予備回線を切り替えた場合、データ送信局に対し自動的にデータ再送の要求を行い、要求を受けたデータ送信局はデータ再送を行うという技術が考案されている（参考文献１参照）。
【先行技術文献】
【特許文献】
【００１４】
【特許文献１】特開平２−１９６５４８号公報
【発明の概要】
【発明が解決しようとする課題】
【００１５】
本発明の目的は、通常は不揮発性メモリを利用した受信と印刷を行うが、不揮発性メモリの許容量を超えた場合は受信途中のＥメールを破棄してＥメールの送信元へエラーを返す。
【００１６】
その際に、送信元が繰り返しデータ再送してくることを利用して、再送されたＥメールを揮発性メモリへ受信する方式に自動的に切り替えることを特徴とする。
【００１７】
この切替えにより、通常は不揮発性メモリを利用してＥメール受信を行うため、ＰＤＬデータとの並列印刷が可能でありながら、受信許容量を超えた場合は揮発性メモリへ格納先を切替えることで受信サイズの容量制限を無くすことが可能な印刷システムを提供することにある。
【課題を解決するための手段】
【００１８】
上述の目的を達成するため本発明は、コピー・スキャナー・ファックス・プリンタ複合機、もしくは、プリンタ単体機における印刷システムにおいて、メール本文及び添付画像ファイルを有する電子メールを受信する受信手段と、前記メール本文及び添付画像ファイルの印刷を実行する印刷手段と、前記印刷手段は、不揮発性メモリと揮発性メモリを備え、受信した電子メールを一時的に保存してから印刷を実行する保存手段と、前記保存手段は、不揮発性メモリへ電子メールを保存できなくなった場合に受信中の電子メールを破棄し、再送された電子メールを揮発性メモリへの保存へ自動的に切り替える手段と、前記電子メールの保存中は次の電子メールを不揮発性メモリへ保存するように切り替える手段を有することを特徴とする。
【発明の効果】
【００１９】
本発明によれば、通常は不揮発性メモリを利用した受信と印刷を行うが、不揮発性メモリの許容量を超えた場合は受信途中のＥメールを破棄してＥメールの送信元へエラーを返す。
【００２０】
その際に、送信元が繰り返しデータ再送してくることを利用して、再送されたＥメールを揮発性メモリへ受信する方式に自動的に切り替えることを特徴とする。
【００２１】
この切替えにより、通常は不揮発性メモリを利用してＥメール受信を行うため、ＰＤＬデータとの並列印刷が可能でありながら、受信許容量を超えた場合は揮発性メモリへ格納先を切替えることで受信サイズの容量制限を無くすことが可能となる。
【図面の簡単な説明】
【００２２】
【図１】本発明の第一の実施例におけるＥメールの送受信が可能なネットワークシステムの構成例を示すブロック図
【図２】本発明の第一の実施例におけるプリントエンジン部の断面図
【図３】本発明の第一の実施例におけるメール本文に画像ファイルを添付したＥメールの構成例を示す図
【図４】本発明の第一の実施例におけるＥメールのメール本文と添付画像ファイルの印刷例を示す図
【図５】本発明の第一の実施例におけるＰＤＬデータの印刷処理及びＥメールの印刷処理を示すフローチャート図
【図６】本発明の第一の実施例におけるＥメールの印刷処理の詳細を示すフローチャート図
【図７】本発明の第二の実施例におけるＥメールの印刷処理の詳細を示すフローチャート図
【発明を実施するための形態】
【００２３】
以下、本発明の実施の形態を図面を参照しながら説明する。
【００２４】
［第１の実施の形態］
図１は本発明の実施例におけるコピー・スキャナー・ファックス・プリンタ複合機の構成を示すブロック図であり、送信側１０と受信側２０にて構成している。
【００２５】
複合機１０、２０はＬＡＮ４０（ローカル・エリア・ネットワーク）で接続されており、さらにＬＡＮ４０にはパーソナル・コンピュータ（ＰＣ）３０も接続されている。
【００２６】
本実施の形態では、複合機１０とＰＣ３０から画像ファイルを添付したＥメールをＬＡＮ４０を介して複合機２０へ送信する機能を有する。
【００２７】
複合機２０は、ＬＡＮ４０を介してＥメールを受信する機能を有する複合機として構成されており、Ｅメールのメール本文と添付画像ファイルの印刷が可能である。
【００２８】
なお、ＬＡＮ４０においては、ＴＣＰ/ＩＰ（Transmission Control Protocol/Internet Protocol）と呼ばれるトランスポートレイヤまでの伝送プロトコルと、ＳＭＴＰ（Simple Mail Transfer Protocol）と呼ばれる上位レイヤの通信プロトコルとの組み合わせを使用することにより、Ｅメールの送受信が行われる。
【００２９】
複合機１０、２０は以下で説明する１１〜１９のモジュールにて構成されているものとする。
【００３０】
１１は複合機１０、２０の制御を行うためのＣＰＵである。
【００３１】
１２は機能や設定などを表示するための表示パネルである。
【００３２】
１３はスキャナー部１４やプリントエンジン部１５に対する動作指示や、各種プログラムの実行指示を行うための操作部である。
【００３３】
１４は原稿を読み込み画像データに変換するスキャナー部である。
【００３４】
１５は画像データを印刷出力するためのプリントエンジン部である。
【００３５】
１６はＣＰＵ１１の制御、表示パネル１２、操作部１３の制御、スキャナー部１４の制御、プリントエンジン部１５の制御を行うためのプログラムコードを格納しているＲＯＭである。
【００３６】
ＲＯＭ１６に書き換え可能なフラッシュＲＯＭを用いることで、ＲＯＭ中に格納されているプログラムコードの更新を行うことも可能とする。
【００３７】
１７はＲＡＭであり、上記制御プログラムコードのワークメモリとして使用する他、受信したＥメールデータを一時的に蓄積したり、プリントエンジン部１５に印刷出力するための画像イメージを一時的に蓄積するために用いられる。
【００３８】
１８は受信したＥメールデータを一時的に蓄積したり、画像イメージを格納するための不揮発性メモリであり、ハードディスク（ＨＤＤ）やフラッシュＲＯＭなどで構成される。
【００３９】
１９はＬＡＮ４０に接続するためのＥｔｈｅｒｎｅｔ（登録商標）インターフェイスであり、Ｅメールや画像データ等の送受信を可能とする。
【００４０】
なお、本実施例では、コピー・スキャナー・ファックス・プリンタ複合機１０、２０を用いて説明を行うが、印刷装置としてプリンタ単体機を用いても良い。
【００４１】
本実施例を適用する複合機１０、２０のプリントエンジン部１５としてレーザービームプリント方式の場合について図２を用いて説明する。
【００４２】
図２において１５はプリントエンジン部本体である。
【００４３】
印刷画像データはビデオ信号に変換してレーザードライバ１００２に出力する。
【００４４】
レーザドライバ１００２は半導体レーザ１００３を駆動するための回路であり、入力されたビデオ信号に応じて半導体レーザ１００３から発射されるレーザ光１００４のオン・オフ切り換えを行なう。
【００４５】
レーザ光１００４は回転多面鏡１００５で左右方向に振らされて静電ドラム１００６上を走査露光する。
【００４６】
これにより、静電ドラム１００６上には出力画像の静電潜像が形成されることになる。
【００４７】
この潜像は、静電ドラム１００６周囲に配設された現像ユニット１００７により現像された後、印刷用紙に転写される。
【００４８】
印刷用紙はプリントエンジン本体に装着した印刷用紙カセット１００８に収納され、給紙ローラ１００９、及び搬送ローラ１０１０、 １０１１により装置内に取り込まれて静電ドラム１００６に供給される。
【００４９】
また、本実施例を適用するプリンタとしては、レーザービームプリンタに限られたものではなく、インクジェットプリンタ、昇華プリンタ、銀塩プリンタなどの他のプリンタを用いてもよい。
【００５０】
次に、複合機１０、ＰＣ３０から送信される、メール本文及び画像ファイルからなるＥメールの構成例を図３を用いて説明する。
【００５１】
図３は、メール本文に画像ファイルを添付したＥメールの構成例を示す図である。
【００５２】
図３において、Ｅメールは基本的にＥメールの先頭部分である各種情報が記述されたメールヘッダ１００、Ｅメールの本文であるメール本文１０１、添付された画像ファイルである１０２及び１０３から構成される。
【００５３】
メールヘッダ１００は、送信日時情報を設定する“Date”フィールド、Ｅメールを識別するために送信日付、時刻、機器のメールアドレスより生成された固有のＩＤを設定する“Message”フィールド、送信者のメールアドレスを設定する“From”フィールド、受信者のメールアドレスを設定する“To”フィールド、そして、メール表題を設定する“Subject”フィールドから構成されている。
【００５４】
図３の場合、メールの送信日時は“Mon, 02 Dec 2002 12:00:00”、Ｅメールを識別するためのＩＤは“＜20000707120000＠pop.canon.co.jp＞”、送信者のメールアドレスは“transmit＠canon.co.jp”、受信者のメールアドレスは“receive＠canon.co.jp”、メール表題は“Email Print”である。
【００５５】
また、Ｅメールは、７ビットコードの読取可能な情報でなければならないため、添付画像ファイル１０２、１０３がバイナリデータであれは、そのまま送信することができない。
【００５６】
そこで、メール本文１０１及び添付画像ファイル１０２、１０３は、ＭＩＭＥ（Multipurpose Internet Mail Extensions）形式にデータ変換して送信される。
【００５７】
図３の場合、メールヘッダ１００の“MIME-Version”フィールドによりＭＩＭＥのバージョンを設定し、メール本文１０１及び添付画像ファイル１０２、１０３の“Content-Type”フィールドにより各データの属性を設定し、“Content-Transfer-Encoding”フィールドにより各データの符号化方式を設定している。
【００５８】
メール本文１０１は、本例では、“ISO-2022-JP”の言語体系のテキストデータにより構成されている。
【００５９】
添付画像ファイル１０２は、本例では、“base64”と呼ばれる符号化方式のＪＰＥＧ（Joint Photographic Experts Group）形式の画像データにより構成されている。
【００６０】
添付画像ファイル１０３は、本例では、“base64”と呼ばれる符号化方式のＴＩＦＦ（Tagged Image File Format）形式の画像データにより構成されている。
【００６１】
ＴＩＦＦ形式とは、インターネットＦＡＸで用いられている形式である。
【００６２】
インターネットＦＡＸのシンプルモードでは、添付画像ファイルは、ＭＨ（Modified Huffman）符号化方式で符号化された、印刷用紙サイズがＡ４サイズ、印刷解像度が２００DPIの画像データによって構成されている。
【００６３】
尚、本実施の形態では、Ｅメールに２つの添付画像ファイル１０２、１０３を添付しているが、Ｅメールに添付する添付画像ファイルの数や添付画像ファイルの圧縮形式は特に限定するものではない。
【００６４】
例えば、ＪＰＥＧ形式やＴＩＦＦ形式などの画像ファイルの他にも、ＰＤＦ（Portable Document Format）ファィルをＥメールに添付し送信して印刷してもよいものとする。
【００６５】
また、本実施の形態では、ＪＰＥＧ形式、ＴＩＦＦ形式、ＭＨ符号化、base64符号化における各フォーマットの詳細については省略する。
【００６６】
図４は、上記図２で示したＥメールのメール本文と添付画像ファイルの印刷例を示す図である。
【００６７】
図４において、メール本文１０１を１ページ目に印刷し、２ページ目以降に添付画像ファイル１０２、添付画像ファイル１０３を１画像ずつ印刷している。
【００６８】
図４の４０１〜４０３は、上記図３の１０１〜１０３にそれぞれ対応した印刷画像である。
【００６９】
次に、複合機２０が、複合機１０やＰＣ３０から受信したＥメールのメール本文と画像ファイルを用紙に印刷する印刷処理を図５を用いて説明する。
【００７０】
図５は、複合機２０におけるＥメール及びＰＤＬデータの印刷処理を示すフローチャートである。
【００７１】
本フローチャートに示す処理は、複合機２０のＣＰＵ１１がＲＯＭ１６に格納された制御プログラムに基づき実行する。
【００７２】
複合機２０は、受信したＥメールの印刷以外にも、ＰＣ３０から送信されるＰＤＬデータの印刷も可能であるとするが、ＰＤＬについては周知であり且つＰＤＬデータの印刷処理自体に特徴があるものではないので、本実施の形態ではその処理の詳細説明は省略する。
【００７３】
図５において、複合機２０がＥｔｈｅｒｎｅｔ（登録商標）１９を介して外部からＥメール或いはＰＤＬデータを入力（受信）すると、データ入力待ち状態（ステップ２０１）を抜ける。
【００７４】
ＣＰＵ１１は入力されたデータがＥメールであるかＰＤＬデータであるかの判断を行う（ステップ２０２）。
【００７５】
ステップ２０２において入力データがＰＤＬデータであると判断した場合、ＣＰＵ１１はＰＤＬデータの解析を行った後（ステップ２０３）、印刷が完了した用紙の排紙命令が存在すると判断するまでの間（ステップ２０５）、ＰＤＬデータに記述された各命令に従って画像イメージの生成処理（描画処理）を行う（ステップＳ２０４）。
【００７６】
上記ステップ２０５において排紙命令が存在すると判断した場合、ＣＰＵ１１はＲＡＭ１７上に生成した画像イメージをビデオ信号に変換し（ステップ２０６）、ビデオ信号をプリントエンジン部１５に転送する。
【００７７】
プリントエンジン部１５により用紙に印刷を行い（ステップ２０７）、印刷が完了した用紙を排紙する（ステップ２０８）。
【００７８】
その後、上記ステップ２０１に戻りデータ入力待ち状態となる。
【００７９】
一方、上記ステップ２０２において入力データがＥメールであると判断した場合、ＣＰＵ１１はＥメールの印刷処理を行い（ステップ２１０）、上記ステップＳ２０１に戻りデータ入力待ち状態となる。
【００８０】
Ｅメールの印刷処理（ステップ２１０）の詳細なフローについては図６を用いて説明する。
【００８１】
図６のステップ３０１において、受信したＥメールを不揮発性メモリへ格納するか揮発メモリへ格納するかの判断を行う。
【００８２】
通常は不揮発性メモリへ格納するが、不揮発性メモリへ容量的に格納しきれなくなった場合や、不揮発性メモリが装着されていない場合に揮発性メモリへの格納を行う。
【００８３】
ステップ３０１において不揮発性メモリへ格納すると判断した場合、ステップ３０２にて受信したＥメールデータの格納を行う。
【００８４】
不揮発性メモリにはＥメールデータを格納するための容量制限が設定されており、この容量内でデータの格納を継続する。
【００８５】
ステップ３０４でＥメールデータの受信が完了したと判断した場合、ステップ３０５でＭＩＭＥ形式のデータ解析を行う。
【００８６】
ステップ３０５のＭＩＭＥの解析結果に従ってＥメールデータの符号復元化を行う。（ステップ３０６）
ステップ３０６の符号復元化により、Ｅメールデータはメール本文、ＪＰＥＧ画像、ＴＩＦＦ画像が復元化される。
【００８７】
復元化されたメール本文、ＪＰＥＧ画像、ＴＩＦＦ画像から図４で説明したような画像イメージを生成する。（ステップ３０７）
生成した画像イメージはビデオ信号に変換し（ステップ３０８）、ビデオ信号をプリントエンジン部１５へ転送することで用紙に印刷を行い（ステップ３０９）、印刷完了した用紙を排紙して（ステップ３１０）、以上の処理を終了する。
【００８８】
一方、ステップ３０３にてＥメールを格納するための容量を超えた場合、受信済みのデータを破棄し（ステップ３１１）、不揮発性メモリの受信から揮発性メモリへ受信方法を切替える。（ステップ３１２）
なお、ステップ３１２の受信方法の切替えにおいては、受信しきれなくなったＥメールに対してのみ切替えてもよいし、あるいは、予め設定しておいた一定期間の間に受信したＥメール全部に対し切替えを行っても良いとする。
【００８９】
ステップ３１３では、Ｅメールの送信元である複合機１０やＰＣ３０へ異常終了を通知することで、Ｅメールの再送を促すことを目的とする。
【００９０】
ステップ３１３にてＥメールの再送を促すことにより、再送されたＥメールはステップ３０１で揮発性メモリへの受信に切替わり、ステップ３１４〜ステップ３２２にて動作することになる。
【００９１】
ステップ３１４において受信したＥメールデータを揮発性メモリへ格納する。
【００９２】
揮発性メモリにはＥメールを格納するための容量制限が設定されており、この容量内で受信したＥメールデータに対し、ＭＩＭＥ解析（ステップ３１５）、符号復元化（ステップ３１６）、描画処理（ステップ３１７）が繰り返し行われる。
【００９３】
ステップ３１８で１ページ分の描画が完了するとステップ３１９〜ステップ３２１にて印刷と排紙処理が行われる。
【００９４】
ステップ３２２で全データの受信が完了したと判断するまでステップ３１４に戻りＥメール受信を継続する。
【００９５】
ステップ３２２で全データの受信が完了したと判断した場合、ステップ３２３で不揮発性メモリの受信から揮発性メモリへ受信方法を切替える。
【００９６】
なお、ステップ３２３の受信方法の切替えにおいて、ステップ３１２と連動させて、受信しきれなくなったＥメールに対してのみ切替えてもよいし、あるいは、予め設定しておいた一定期間の間に受信したＥメール全部に対して切替えを行っても良いとする。
【００９７】
以上説明したように、通常は不揮発性メモリを利用した受信と印刷を行うが、不揮発性メモリの許容量を超えた場合は受信途中のＥメールを破棄してＥメールの送信元へエラーを返す。
【００９８】
その際に、送信元が繰り返しデータ再送してくることを利用して、再送されたＥメールを揮発性メモリへ受信する方式に自動的に切り替えることを特徴とする。
【００９９】
この切替えにより、通常は不揮発性メモリを利用してＥメール受信を行うため、ＰＤＬデータとの並列印刷が可能でありながら、受信許容量を超えた場合は揮発性メモリへ格納先を切替えることで受信サイズの容量制限を無くすことが可能となる。
【０１００】
［第２の実施の形態］
次に、本発明の第２の実施の形態を説明する。
【０１０１】
前記第１の実施の形態では、図６のステップ３１２、３２３の受信方法の切替えにおいて、受信しきれなくなったＥメールに対してのみ切替えてもよいし、あるいは、予め設定しておいた一定期間の間に受信したＥメール全部に対して切替えても良いとした。
【０１０２】
しかしながら、受信しきれなくなったＥメールに対してのみ切替えを行った場合、２個以上のＥメールを受信すると不揮発性メモリと揮発性メモリが並列受信するため受信順番と印刷順番が入れ替わる可能性が出てくる。
【０１０３】
そこで本第二の実施例では、不揮発性メモリと揮発性メモリが並列受信した場合に受信順番と印刷順番が入れ替わらないように制御する方法を説明する。
【０１０４】
本第二の実施例を図７を用いて説明を行う。
【０１０５】
図７のステップ３０１〜ステップ３２３の動作については前記第一の実施例の図６と同等であり、図７のステップ４０１とステップ４０２のみが差異となる。
【０１０６】
２つのジョブを並列受信した場合、図７において先に受信したＥメールはステップ３１４〜ステップ３２２のフローで処理され、次に受信したＥメールはステップ３０２〜ステップ３１０で並列処理されていることになる。
【０１０７】
そこで、ステップ３０６の次ステップとして、前に受信したＥメールを印刷完了したか否かを判断するステップを設ける。（ステップ４０１）
ステップ４０１において、前に受信したＥメールが印刷完了してない場合には、ステップ４０２にて一定期間処理待ちとし、一定期間が経過後に再度ステップ４０１において、前に受信したＥメールが印刷完了したか確認を行う。
【０１０８】
ステップ４０１において、前に受信したＥメールが印刷完了したと判断した場合にはステップ３０７において描画処理以降の処理を継続させる。
【０１０９】
このように、ステップ３０６において符号複合化までを先行動作しておくことにより、前のＥメールが印刷完了と同時に次のＥメールの印刷処理を開始することが可能となり印刷時間の短縮化も可能となる。
【０１１０】
以上説明したように、本実施の形態によれば、不揮発性メモリと揮発性メモリが並列受信した場合に受信順番と印刷順番が入れ替わらないように制御することが可能となる。
【符号の説明】
【０１１１】
１０  コピー・スキャナー・ファックス・プリンタ複合機
１１  ＣＰＵ
１２  表示パネル
１３  操作部
１４  スキャナー部
１５  プリントエンジン部
１６  ＲＯＭ
１７  ＲＡＭ
１８  不揮発性メモリ
１９  Ｅｔｈｅｒｎｅｔ（登録商標）
２０  コピー・スキャナー・ファックス・プリンタ複合機
３０  ＰＣ
４０  ＬＡＮ
１００２  レーザドライバ
１００３  半導体レーザ
１００４  レーザ光
１００５  回転多面鏡
１００６  静電ドラム
１００７  現像ユニット
１００８  印刷用紙カセット
１００９  給紙ローラ
１０１０  搬送ローラ
１０１１  搬送ローラ
【図１】
2011103571.tif 000003
【図２】
2011103571.tif 000004
【図３】
2011103571.tif 000005
【図４】
2011103571.tif 000006
【図５】
2011103571.tif 000007
【図６】
2011103571.tif 000008
【図７】
2011103571.tif 000009